(57)【特許請求の範囲】
【請求項１】
テープ状記録媒体を巻装したテープリールを内部に収納したカセットシェルの前部に前方及び上下に開放されたマウス部を有し、上記テープ状記録媒体の一部が上記マウス部の前端を横切るように位置されると共に、テープ状記録媒体の前側を覆うフロントリッドを有するテープカセットであって、
カセットシェルに前後方向に移動自在なスライダーを設け、
スライダーのカセットシェルの側面に沿う側面部が前端部のリッド支持部と該リッド支持部より外側に位置した主面部とを有し、
フロントリッドはテープ状記録媒体の前面を覆う前面部と該前面部の両端から後方へ突出した側面部とを有し、上記側面部が上記スライダーのリッド支持部に回動自在に支持され、
スライダーの主面部の前端部とフロントリッドの側面部とには左右方向で互いに重なり合うオーバーラップ部を有し、
フロントリッドの側面部の後縁部は回動支点軸を中心とした円弧状に形成され、側面部の外面のうち後縁部に対応した部分に円弧状を為す浅い凹部が形成され、該凹部が形成された部分がフロントリッドのオーバーラップ部とされ、スライダーのオーバーラップ部が上記フロントリッドのオーバーラップ部を摺動するように位置する
ことを特徴とするテープカセット。
【発明の詳細な説明】
【０００１】
【発明の属する技術分野】
本発明は新規なテープカセットに関する。詳しくは、テープカセットの側面部の段差を小さくすると共にフロントリッドのスムーズな開閉動作を可能にする技術に関する。
【０００２】
【従来の技術】
テープカセットにおいて、記録の高密度化に伴い、不使用時においてテープ状記録媒体のカセットシェルから露出している部分をリッドと称する蓋体によって覆い、テープ状記録媒体に塵埃が付着したり、人の手指が触れて油脂等が付着したりするのを防止する技術がある。
【０００３】
カセットシェルの前部に設けた前方及び上下に開口したマウス部の前部を横切るように位置したテープ状記録媒体の前側をフロントリッドで覆い、使用時には、フロントリッドをほぼ９０度上方へ回動させて、テープ状記録媒体を露出させるようにしたものでは、マウス部の上側がフロントリッドによって塞がれるため、使用時にマウス部内に配置する部材が種々の制限を受けるという問題があるので、カセットシェルに前後方向に移動自在なスライダーを設け、該スライダーの前端部にフロントリッドを回動自在に支持し、開蓋時には、フロントリッドを上方へ回動すると共にスライダーを後方へ移動させて、マウス部の上方にフロントリッドが止まらないようにする技術がある（図２６参照）。
【０００４】
【発明が解決しようとする課題】
ところで、スライダーにフロントリッドを支持する場合、ただ単に、スライダーａをカセットシェルｂに前後方向に移動自在に設け、該スライダーａの前端部にフロントリッドｃを回動自在に設けただけであると、テープカセットｄの前端部と後端部との横幅を同じにする、すなわち、フロントリッドｃの横幅とカセットシェルｂの後端部の横幅とを同じにするためには、少なくともフロントリッドｃの側面部ｅの厚みの分だけはスライダーａの外面が内側に位置することになり、従って、カセットシェルｂのうちスライダーａが摺動する部分と後端部ｆとの間に大きな段差ｇができてしまう。
【０００５】
そして、このような段差ｇがあると、テープカセットｄを記録再生装置の所定の装着位置に装着するためのホルダｈに挿入する際に、挿入姿勢が少しでも傾くと上記段差ｇがホルダｈの入り口ｉに引っかかる等の事故が生じる惧がある（図２６参照）。
【０００６】
そこで、本発明は、テープカセットの側面部の段差を小さくすると共にフロントリッドのスムーズな開閉動作を可能にすることを課題とする。
【０００７】
【課題を解決するための手段】
本発明テープカセットは、上記した課題を解決するために、カセットシェルに前後方向に移動自在なスライダーを設け、スライダーのカセットシェルの側面に沿う側面部が前端部のリッド支持部と該リッド支持部より外側に位置した主面部とを有し、フロントリッドはテープ状記録媒体の前面を覆う前面部と該前面部の両端から後方へ突出した側面部とを有し、上記側面部が上記スライダーのリッド支持部に回動自在に支持され、スライダーの主面部の前端部とフロントリッドの側面部とには左右方向で互いに重なり合うオーバーラップ部を有し、フロントリッドの側面部の後縁部は回動支点軸を中心とした円弧状に形成され、側面部の外面のうち後縁部に対応した部分に円弧状を為す浅い凹部が形成され、該凹部が形成された部分がフロントリッドのオーバーラップ部とされ、スライダーのオーバーラップ部が上記フロントリッドのオーバーラップ部を摺動するように位置するようにしたものである。
【０００８】
従って、本発明テープカセットにあっては、スライダーの主面部はリッド支持部より外側に位置しているので、カセットシェルの側面のうち該主面部がスライドする部分がより外側に位置することになり、その分後端部との間にできる段差が小さくなる。また、スライダーの主面部の前端部とフロントリッドの側面部とに左右で互いに重なり合うオーバーラップ部が設けられるので、フロントリッドの回動中フロントリッドのオーバーラップ部がスライダーのオーバーラップ部に案内されるようになり、フロントリッドの開閉動作が安定してスムーズに行われるようになる。また、フロントリッドの側面部の外面のうち後縁部に対応した部分に円弧状を為す浅い凹部が形成され、該凹部が形成された部分がフロントリッドのオーバーラップ部とされ、スライダーのオーバーラップ部がフロントリッドのオーバーラップ部を摺動するように位置するので、フロントリッドの側面部の外面とスライダーの主面部の外面とを同一の平面内に位置させることができ、カセットテープの側面部に無用な凹凸を無くすと共に見栄えを良好にすることができる。
【０００９】
【発明の実施の形態】
以下に、本発明テープカセットの実施の形態について添付図面を参照して説明する。
【００１０】
カセットテープ１０は、薄い箱状をしたカセットシェル２０内にテープ状記録媒体である磁気テープ３０を巻装したテープリール４０、５０が回転可能に収納され、カセットシェル２０の前面に沿って位置する磁気テープ３０の前面側を覆うフロントリッド６０及び該磁気テープ３０の後側を覆うバックリッド７０を備え、そして、上記バックリッド７０はカセットシェル２０に前後方向に移動自在に支持されたスライダー８０に一体に形成され、また、上記フロントリッド６０は上記スライダー８０の前端部に回動自在に支持されている。
【００１１】
カセットシェル２０は薄い箱状を為し、プラスチックスで形成されていて、全体が又は上方からテープリール４０、５０の全体若しくは一部が見える部分が透明にされている。
【００１２】
カセットシェル２０の前部にはマウス部と称される大きな凹部２１が形成されている。該マウス部２１は前方並びに上方及び下方に開口されている。
【００１３】
該マウス部２１の奥面のうちカセットシェル２０内に配置されたテープリール４０、５０の最大外径部に対向した部分を避けた位置に上下方向に延びる凹条２１ａ、２１ａ、・・・が形成されている。
【００１４】
また、カセットシェル２０のマウス部２１の両脇の部分は角筒を寝かせた如き形状をしたテープ引出部２２、２２とされ、該テープ引出部２２、２２の前端２２ａ、２２ａが開口している。そして、磁気テープ３０はテープ引出部２２、２２の開口２２ａ、２２ａから外部に引き出され、上記マウス部２１の前面を横切るように開口２２ａ、２２ａ間に張り渡されている。
【００１５】
カセットシェル２０の底面壁には左右に並んで２つのリール台挿入口２３、２３が形成されており、該リール台挿入口２３、２３を通して上記テープリール４０、５０の図示しない係合穴が下方に臨まされており、テープカセット１０が図示しない記録再生装置に装着されると、記録再生装置に設けられたリール台が上記リール台挿入口２３、２３からカセットシェル２０内に挿入されて、リール台に設けられたリール係合軸がテープリール４０、５０の係合穴に係合されると共にテープリール４０、５０がリール台に載置される。
【００１６】
カセットシェル２０内の後部には２つのリールロック部材９０、９０が配置され、不使用時には該リールロック部材９０、９０の爪９１、９１がテープリール４０、５０の下フランジに形成された係合突起４１、４１、・・・、５１、５１、・・・に係合してテープリール４０、５０が妄りに回転してしまわないようにロックしている。なお、リールロック部材９０、９０は図示しないバネによってテープリール４０、５０をロックする方向に付勢されている。そして、テープカセット１０が図示しない記録再生装置に装着されると、記録再生装置に設けられたロック解除ピンがカセットシェル２０の底面に形成された挿入口２４から挿入されてリールロック部材９０、９０をロックを解除する方向に回動させて、テープリール４０、５０へのロックが解除される。
【００１７】
カセットシェル２０の上記マウス部２１の奥面の左右方向における中央の内側には遮光筒２５が形成され、該遮光筒２５は下面に開口２５ａが形成され、且つ、左右に切欠２５ｂ、２５ｂが形成されている。
【００１８】
カセットシェル２０の側面壁の中央からやや前端に寄った位置には透光孔２５ｃ、２５ｃが形成されており、該透光孔２５ｃ、２５ｃから上記遮光筒２５の切欠２５ｂ、２５ｂを見通すことができるようになっている。
【００１９】
上記テープ引出部２２、２２の前端面のうち外側に位置する部分２２ｂ、２２ｂのほぼ上半部には前方へ突出したカム部２６、２６が形成されている。そして、該前端面２２ｂ、２２ｂは他の３つの前端面よりやや後方に引っ込んでおり、該前端面２２ｂ、２２ｂと上下の前端面２２ｃ、２２ｃ、２２ｄ、２２ｄとはテープカセット１０が図示しないカセットホルダに挿入されるときにカセットホルダに設けられたストッパーに当接してテープカセット１０のカセットホルダへの挿入限度を規定する前進ストッパーとされている。
【００２０】
さらに、テープ引出部２２、２２の内側の内面のうち開口２２ａ、２２ａと接した位置には半円柱状をしたカセット内ガイド２２ｅ、２２ｅが形成されている。そして、不使用時における磁気テープ３０は上記カセット内ガイド２２ｅ、２２ｅに巻き付けられた状態でテープ引出部２２、２２間に張り渡されている。
【００２１】
カセットシェル２０の一方、すなわち、向かって右側の側面のほぼ後半部には下端寄りの位置に前後方向に延びる下向きの段差部２７ａが形成され、左側の側面の後半部の下端寄りの位置にも下向きの段差部２７ｂが形成され、これら段差部２７ａ、２７ｂは内端部に溝が形成された状態になっている。
【００２２】
カセットシェル２０の側面のほぼ前半の部分は後半の部分より内側に引っ込んだ状態となっており、この引っ込み度合いは左側の方が右側の方より大きくされ、左側の前半部の上端には外方へ突出した庇状部分２８ａが形成されている。
【００２３】
また、両側面の上端寄りの位置に前端近くから透光孔２５ｃ、２５ｃのところまで延びる摺動溝２８ｂ、２８ｂが形成されている。
【００２４】
さらに、カセットシェル２０の後端部には左右及び上方へ突出した突部２９が形成され、該突部２９の左右両側面には上端寄りの位置から下端にかけて溝２９ａ、２９ａが形成されている。また、該突部２９、２９の下端からはやや前方まで延びる突条２９ｂ、２９ｂが形成されており、該突条２９ｂ、２９ｂの上端と上記段差部２７ａ、２７ｂとの間には極僅かな間隙が形成されている。
【００２５】
上記したカセットシェル２０は上シェル１００と下シェル１１０とが上下で突き合わせられて形成される。そして、上記した各部はそれぞれ上シェル１００と下シェル１１０とに分担して又は上シェル１００と下シェル１１０とが結合されることによって形成される。
【００２６】
上シェル１００には、カセットシェル２０の上面の全部を為す上面部１０１と、カセットシェル２０の後面の上半分を為す後面部１０２と、カセットシェル２０の側面のうちほぼ後半部分の下端部を除くほとんどの部分を為す側面後部１０３、１０３と、カセットシェル２０の側面の残りの部分の上端の部分を為す側面前部１０４ｌ（左）、１０４ｒ（右）と、カセットシェルの前面、すなわち、マウス部２１の奥面の中央部を除く両側部の下端部を除く部分を為す前面部１０５、１０５とが一体に形成されて成る。なお、側面前部１０４ｌ、１０４ｒは側面後部１０３、１０３より僅かに内側に位置しており、さらに左側の側面前部１０４ｌは上面部１０１の側縁からやや内側に引っ込んだ位置に形成されそれによって、庇状部分２８ａが形成される。
【００２７】
下シェル１１０は、カセットシェル２０の底面の全部を為す底面部１１１と、カセットシェル２０の後面の下半分を為す後面部１１２と、カセットシェル２０の側面のうちほぼ後半部分の下端部を為す側面後部１１３、１１３と、カセットシェル２０の側面の残りの部分の上端部を除く部分を為す側面前部１１４、１１４と、カセットシェル２０の前面、すなわち、マウス部２１の奥面の中央部を為す前面中央部１１５と、マウス部２１の両側部の下端部分を為す前面側部１１６、１１６及びテープ引出部２２、２２の内側側面部を為す内側側面部１１７、１１７とが一体に形成されて成る。
【００２８】
なお、側面後部１１３、１１３のうち突部２９の下端部に対応する部分を除いた部分１１３ａ、１１３ａは上シェル１００の側面後部１０３、１０３より内側に位置して該側面後部１０３、１０３との間に僅かな間隔の隙間が形成され、該隙間の下端部が上記段差部２７ａ、２７ｂの内端部の溝を為すようになっている。
【００２９】
そして、側面前部１１４、１１４の後端部には上端に開口する切欠１１４ａ、１１４ａが形成され、さらに、側面前部１１４、１１４の外面のうち上端寄りの部分の前端部を除く部分に浅い凹部１１４ｂ、１１４ｂが形成され、さらにまた、該凹部１１４ｂ、１１４ｂの上端部の前端部を除く部分に浅い凹部１１４ｃ、１１４ｃが形成されている。
【００３０】
そして、上記したマウス部２１の奥面の凹条２１ａ、２１ａ、・・・は上シェル１００の前面部１０５、１０５と下シェル１１０の前面側部１１６、１１６に形成されている。また、リール台挿入口２３、２３、挿入口２４及び遮光筒２５は下シェル１１０の底面部１１１に形成され、カム部２６、２６は下シェル１１０の側面前部１１４、１１４の前端部に形成される。
【００３１】
さらに、上記段差部２７ａ、２７ｂは上シェル１００の側面後部１０３、１０３の下端によって形成されている。
【００３２】
さらにまた、上記摺動溝２８ｂ、２８ｂは上シェル１００の側面前部１０４ｌ、１０４ｒと下シェル１１０の側面前部１１４、１１４の上端部に形成された凹部１１４ｂ、１１４ｂとよって形成される。また、上シェル１００の側面前部１０４ｌ、１０４ｒと下シェル１１０の側面前部１１４、１１４の上端部との間には凹部１１４ｃ、１１４ｃによって僅かな隙間が形成されている。
【００３３】
そして、上記突部２９は上シェル１００の上面部１０１、側面後部１０３、１０３及び下シェル１１０の側面後部１１３、１１３に亘って形成されている。
【００３４】
また、上記透光孔２５ｃ、２５ｃは、下シェル１１０の側面前部１１４、１１４に形成された切欠１１４ａ、１１４ａの上端が上シェル１００によって塞がれて形成される。
【００３５】
上記した上シェル１００と下シェル１１０とが上下で突き合わされ、ネジ１２０、１２０、・・・によって互いに結合されることによってカセットシェル２０が形成される。
【００３６】
スライダー８０は薄い金属板、できれば、導電性を有する金属板で形成される。スライダー８０は左右方向に長い板状をした上面部８１と該上面部８１の左右両側縁から下方へ突出した側面部とが一体に形成されて成る。側面部は、前後方向における中央よりやや前寄りの部分から後端までの主面部８２、８２と、主面部８２、８２より前側の部分のリッド支持部８３、８３とから成る。
【００３７】
リッド支持部８３、８３は主面部よりやや内側に位置しており、上下幅は主面部８２、８２のほぼ半分になっている。そして、リッド支持部８３、８３には下方へ開口したほぼ半円状の軸保持部８３ａ、８３ａが形成され、また、リッド支持部８３、８３の後端部下縁には内方へ突出した摺動突起８３ｂ、８３ｃが形成されている。これら摺動突起８３ｂ、８３ｃは、向かって左側のもの８３ｂが右側のもの８３ｃより長く形成され、各摺動突起の先端部８３ｂ′、８３ｃ′は上方へ屈曲されている。
【００３８】
主面部８２、８２の下端部が内側に折り返されて断面Ｕ字状を為す摺動係合部８２ａ、８２ａが形成される。また、主面部８２、８２の前端縁の下端部からは前方へ且つやや下方へ向けてオーバーラップ部８２ｂ、８２ｂが突設されている。
【００３９】
上記スライダー８０にバックリッド７０が一体に形成されている。バックリッド７０はその上端縁がスライダー８０の上面部８１の前縁に一体に連結されている。バックリッド７０は、垂直に延び左右の幅が上記マウス部２１の左右の幅に等しい主部７１と、該主部７１の下端縁から前方へ且つやや下方へ向けて延びる下端閉塞部７２とが一体に形成されて成り、下端閉塞部７２は裏側、すなわち、後方から折り返されている。該折返し部７２ａが形成されることによって、下端閉塞部７２の下端には鋭いエッジができることがない。このように鋭いエッジが生じないことは、バックリッド７０によって、磁気テープ３０や、記録再生装置側の部材、例えば、ピンチローラ等を傷付けることが防止される。
【００４０】
スライダー８０は以下のようにしてカセットシェル２０に前後方向にスライド自在に取着される。
【００４１】
スライダー８０の上面部８１を上シェル１００の上面部１０１の前端部に載せた状態で、スライダー８０を後方へスライドさせていく。スライダー８０の摺動係合部８２ａ、８２ａが上シェル１００の側面後部１０３、１０３の下端縁に摺動自在に係合する。また、スライダー８０の摺動突起８３ｂ、８３ｃは上シェル１００の側面前部１０４ｌ、１０４ｒの下側に位置し、さらに上方に屈曲した先端部８３ｂ′、８３ｃ′が上記側面前部１０４ｌ、１０４ｒの内面に係合した状態となる。
【００４２】
そこで、下シェル１１０と上シェル１００とを結合すると、上シェル１００の側面前部１０４ｌ、１０４ｒと下シェル１１０の凹部１１４ｂ、１１４ｂとによって形成される前後方向に長い摺動溝２８ｂ、２８ｂの上端部、すなわち、凹部１１４ｃ、１１４ｃの下端部に相当する位置に内スライダー８０の摺動突起８３ｂ、８３ｃが摺動自在に位置し、これら摺動突起８３ｂ，８３ｃの上方に屈曲した先端部８３ｂ′、８３ｃ′は上シェル１００の側面前部１０４ｌ、１０４ｒと下シェル１１０の凹部１１４ｃ、１１４ｃとの間にできる間隙内に位置する。これによって、スライダー８０はカセットシェル２０に前後方向に摺動自在に取着される。そして、スライダー８０の移動範囲の後端はスライダー８０の上面部８１の後端がカセットシェル２０の突部２９と当接した位置であり、前端はスライダー８０に支持されるフロントリッド６０の後述する回動支点軸が摺動溝２８ｂ、２８ｂの前端に当接する位置である。
【００４３】
上記したスライダー８０の前端部に設けられたリッド支持部８３、８３にフロントリッド６０が回動自在に支持される。
【００４４】
フロントリッド６０は、ほぼ左右方向に長い帯状をした前面部６１と、該前面部６１の左右両端縁から後方へ突出した側面部６２、６２とが一体に形成されて成る。前面部６１の上端部６１ａは上方へゆくに従って後方へ変位するように緩やかに湾曲している。
【００４５】
側面部６２、６２の内面の前面部６１との接合部に接した部分に厚肉部６３、６３が形成され、該厚肉部６３、６３に側方から見て円弧面を為す規制面６４、６４が形成される。また、側面部６２、６２の内面のほぼ中央部で上記規制面６４、６４に対向した部分に回動支点軸６５、６６が突設されている。そして、該回動支点軸６５、６６の基部には環状の溝６５ａ、６６ａが形成されている。また、向かって左側の回動支点軸６５は、環状の溝６５ａに続いて大径部６５ｂと小径部６５ｃがこの順で連設されており、全体の長さは向かって右側の回動支点軸６６の長さより長くなっている。そして、上記規制面６４、６４は回動支点軸６５、６６を中心とする円弧面に形成されている。
【００４６】
側面部６２、６２の後縁部６２ａ、６２ａは上記回動支点軸６５、６６を中心とした円弧状に形成され、そして、側面６２の外面のうち該後縁６２ａ、６２ａに対応した部分に円弧状を為す浅い凹部６２ｂ、６２ｂが形成され、該凹部６２ｂ、６２ｂが形成された部分６２ｃ、６２ｃがオーバーラップ部とされている。
【００４７】
左側の側面部６２の内面の下端部に下方に開口した凹部６２ｄが形成されている。
【００４８】
向かって左側の側面部６２の内面の回動支点軸６５から後ろ下方に離間した位置に支持軸６７が突設されている。
【００４９】
さらに、側面部６２、６２の上縁の後端部寄りの部分には透光切欠６８、６８が形成されている。
【００５０】
さらにまた、前面部６１の向かって両端の下端寄りの位置には前方と側方に開口した係合凹部６１ｂ、６１ｂが形成され、また、前面部６１の下縁の左端近くに挿通切欠６１ｃが形成されている。
【００５１】
そして、フロントリッド６０の回動支点軸６５、６６の環状の溝６５ａ、６６ａがスライダー８０の軸保持部８３ａ、８３ａに回転可能に係合され、これによって、フロントリッド６０はスライダー８０の前端部のリッド支持部８３、８３に回動可能に支持される。フロントリッド６０の側面部の凹部６２ｂ、６２ｂ内にスライダー８０の主面部８２、８２に形成されたオーバーラップ部８２ｂ、８２ｂが摺動自在に位置しており、これによって、スライダー８０の主面部８２の外面とフロントリッド６０の側面部６２、６２の外面とは同一平面内に位置した状態、いわゆる、面一の状態となる。
【００５２】
フロントリッド６０の向かって左側の側面部６２の内側にはリッドロック部材１３０が取着される。リッドロック部材１３０は全体に細長く形成され、中央部に支持孔１３１が形成されている。そして、該支持孔１３１にフロントリッド６０の向かって左側の側面部６２に形成された支持軸６７が挿通され、これによって該側面部６２に回動自在に支持される。
【００５３】
リッドロック部材１３０が向かって左側から見て右下がりの姿勢であるとき（図１４参照）に、上端部にほぼ前方へ向かって突出した係止爪１３２が形成され、該係止爪１３２が上記スライダー８０の向かって左側のリッド支持部８３に形成された摺動突起８３ｂの上面に後方から係止し得るようになっている。支持孔１３１と下端との間の部分で上記側面部６２に対向した面と反対側の面を切り欠いて形成したバネ掛け面１３３が形成されている。さらに、下端面の前側の部分１３４は円弧面となっている。さらにまた、下端寄りの部分の左側面、すなわち、フロントリッド６０の側面部６２に対向した面にロックピン１３５が突設されている。そして、該ロックピン１３５はフロントリッド６０の左側の側面部６２に形成された凹部６２ｄ内に位置している。
【００５４】
捩じりコイルバネ１４０が設けられることによって、フロントリッド６０及びリッドロック部材１３０がそれぞれ所定の方向に付勢される。
【００５５】
捩じりコイルバネ１４０のコイル部１４１はフロントリッド６０の左側側面部６２に形成された回動支点軸６５の大径部６５ｂに外嵌され、一方の腕片１４２はスライダー８０の左側のリッド支持部８３に形成された摺動突起８３ｂの上面に前側から弾接され、また、他方の腕片１４３はリッドロック部材１３０のバネ掛け面１３３に弾接されている（図１４参照）。これによって、リッドロック部材１３０は左側から見て時計回り方向に付勢され、また、フロントリッド６０はリッドロック部材１３０及び支持軸６７を介して左側から見て時計回り方向、すなわち、前面部６１によってマウス部２１の前側を閉塞する閉塞方向に付勢される。
【００５６】
このように、リッドロック部材１３０及び捩じりコイルバネ１４０はフロントリッド６０の側面部６２の内側に位置されるので、リッドロック部材１３０が回転してもリッドロック部材１３０や捩じりコイルバネ１４０が外部に露呈することが無く、従って、スライダー８０をカセットシェル２０から取り外さない限り、リッドロック部材１３０や捩じりコイルバネ１４０を指で触ったり、取り外すことは不可能である。また、フロントリッド６０が回動しても、リッドロック部材１３０が表に露呈されることはない。さらに、リッドロック部材１３０はフロントリッド６０が開くのをロックしているが、フロントリッド６０とスライダー８０を捩じりコイルバネ１４０の力で押さえていることにもなるので、フロントリッド６０及びスライダー８０のガタも吸収している。
【００５７】
下シェル１１０の向かって右後端部に形成されたメモリ収容溝１１８にはカセット内メモリ１５０が収納される。該カセット内メモリ１５０は、横長矩形をした基板１５１の中央部にメモリ素子１５２が搭載され、基板１５１の表裏両面に導電パターンによって渦巻き状に通信用アンテナ１５３が形成されて成るものである。該カセット内メモリ１５０はアンテナ１５３を介して外部と通信され、磁気テープの種類、記録内容等のデータが記録されるようになっている。
【００５８】
上シェル１００の上面部１０１の下面にはリール押えバネ１６０、１６０の一端部が固定されており、該リール押えバネ１６０、１６０の他端部によってテープリール４０、５０の上端中央を押圧し、リール４０、５０を下シェル１１０の底面部１１１に押さえつけておくようになっている。
【００５９】
上記したテープカセット１０の組立は、以下に示すように、まず、下シェル１１０に各部材を組み込んだ下シェルユニット、上シェル１００に各部材を組み込んだ上シェルユニット及びスライダー８０にリッドロック部材１３０等を組み込んだフロントリッド６０を支持させたスライダーユニットの３つのユニットを形成し、次いで、スライダーユニットを上シェルユニットに組み込み、最後に、スライダーユニットを組み込んだ上シェルユニットと下シェルユニットとを結合する、という手順によって為される。
【００６０】
下シェルユニットは、下シェル１１０に磁気テープ３０を巻装したテープリール４０、５０、リールロック部材９０、９０、カセット内メモリ１５０等を組み込んで形成する（図３、図７参照）。上シェルユニットは、上シェル１００にリール押えバネ１６０、１６０を組み込んで形成する（図４参照）。そして、スライダーユニットは、リッドロック部材１３０及び捩じりコイルバネ１４０を組み込んだフロントリッド６０をスライダー８０に支持して形成する（図５参照）。
【００６１】
上記したスライダーユニットを、フロントリッド６０を上方へ回動させた状態で、上シェルユニットに組み込む。すなわち、スライダー８０の上面部８１を上シェル１００の上面部１０１の前端部に載せた状態で、スライダー８０を後方へスライドさせていく。これによって、スライダー８０の摺動係合部８２ａ、８２ａが上シェル１００の側面後部１０３、１０３の下端縁に摺動自在に係合する（図２０参照）。また、スライダー８０の摺動突起８３ｂ、８３ｃは上シェル１００の側面前部１０４ｌ、１０４ｒの下側に位置し、且つ、摺動突起８３ｂ、８３ｃの上方へ屈曲した先端部８３ｂ′、８３ｃ′が側面前部１０４ｌ、１０４ｒの内面に係合した状態となる（図６、図７参照）。図７に示した状態がフロントリッド６０をスライダー８０に組み込んだスライダーユニットを上シェルユニットに組み込んだ状態である。
【００６２】
そこで、スライダーユニットを組み込んだ上シェルユニットを下シェルユニットと結合する。すなわち、上シェルユニットの上シェル１００の各部の下端と下シェルユニットの下シェル１１０の各部の上端とを上下で突き合わせ、この状態でスライダー８０を前端までスライドさせ、且つ、フロントリッド６０を下方へと回動する。これによって、フロントリッド６０の向かって左側の回動支点軸６５の小径部６５ｃはカセットシェル２０の向かって左側の側面に形成された摺動溝２８ｂに摺動自在に係合され、右側の回動支点軸６６はカセットシェル２０の右側側面に形成された摺動溝２８ｂに摺動自在に係合される。従って、フロントリッド６０の回動支点軸６５、６６はそれぞれ摺動溝２８ｂ、２８ｂによって上下方向への移動を制限されながら前後方向に移動できるようになっている。
【００６３】
そこで、上下のシェル１００、１１０をネジ１２０、１２０、・・・によって結合する（図７参照）。これによって、テープカセット１０が完成する（図１参照）。
【００６４】
このように、テープカセット１０にあっては、全体の構成部品を、上記したように、下シェルユニット、上シェルユニット及びスライダーユニットの３つの部分にあたかも３つの部品のようにまとめておいて、これらを上記したように順次組み立てるので、組立途中における部品管理が容易であり、且つ、組立も簡単に行うことができる。
【００６５】
そして、不使用状態において、磁気テープ３０はその前後がフロントリッド６０とバックリッド７０とによって覆われ、下側はバックリッド７０の下端閉塞部７２で覆われ、上側はフロントリッド６０の主部６１の上端部６１ａで覆われる。従って、磁気テープ３０に塵埃が付着するのを防止することができ、また、磁気テープ３０に異物が触れたり、磁気テープ３０を指で触ってしまったりということを防止することができる。また、テープ引出部２２、２２の前端面、すなわち、２２ｂ、２２ｂ、２２ｃ、２２ｃ、２２ｄ、２２ｄ等もフロントリッド６０の前面部６１によって覆われ、見栄えが良好になる。そして、リッドロック部材１３０の係止爪１３２がスライダー８０の摺動突起８３ｂの上面に後側から係合し、これによって、フロントリッド６０が図１に示す閉塞位置にロックされる。
【００６６】
なお、図示は省略したが、カセットシェル２０の背面には誤消去防止タグが設けられ、該誤消去防止タグがカセットシェル２０の高さ方向に移動して記録可能状態又は記録不可状態を現出する。
【００６７】
さらにまた、スライダー８０のリッド支持部８３、８３は主面部８２、８２より内側に引っ込んで位置しているので、該リッド支持部８３、８３に支持されたフロントリッド６０の側面部６２、６２の外面とスライダー８０の主面部８２、８２の外面とがほぼ同一の平面内に位置し、そのため、スライダー８０の主面部８２、８２が接するカセットシェル２０の側面のほぼ後半部、すなわち、上シェル１００の側面後部１０３、１０３のうち後端部を除く面と突部２９との間の段差１７０、１７０が極僅かなもの、すなわち、スライダー８０の主面部８２、８２の板厚に相当するだけのものとなる。
【００６８】
次ぎに、上記したテープカセット１０の使用について説明する。
【００６９】
テープカセット１０を保持し、そして、該テープカセット１０を記録再生装置の所定の位置に装着する図示しないカセットホルダのテープカセット１０の両端部に対応した位置に板状の支持部材１８０ｌ、１８０ｒが立設され、該支持部材１８０ｌ、１８０ｒにリッドオープナー１９０、１９０とリッド押圧突起２００、２００が設けられる。
【００７０】
リッドオープナー１９０、１９０は長い腕状を為し、その上端部が支持部材１８０ｌ、１８０ｒの内側の面の上端部に回動自在に支持される。リッドオープナー１９０、１９０の回動端部の内面には係合突起１９１、１９１が突設されている。捩じりコイルバネ２１０、２１０のコイル部２１１、２１１がリッドオープナー１９０、１９０の回動軸１９２、１９２に外嵌され、一方の腕２１２、２１２が支持部材１８０ｌ、１８０ｒの一部を切り起こし状に内側に突出させて形成したバネ掛け片１８１、１８１に上方から弾接し、他方の腕２１３、２１３がリッドオープナー１９０、１９０の前縁のうち回動支点寄りの位置に弾接され、これによって、リッドオープナー１９０、１９０は左方から見て（図１４参照）時計回り方向に付勢される。そして、リッドオープナー１９０、１９０は上端寄りの部分がバネ掛け片１８１、１８１に当接することによって回動端が下端に位置する垂直な姿勢に保持される。
【００７１】
リッド押圧突起２００、２００は支持部材１８０ｌ、１８０ｒの上端部に内側に突出するように形成されている。
【００７２】
左側の支持部材１８０ｌの基端部の向かって右側の側面に近接してロック解除カム２２０が設けられている。該ロック解除カム２２０はテープカセット１０が挿入されてくる側の端面が傾斜部２２１となっている。そして、このロック解除カム２２０の左右幅はフロントリッド６０の前面部６１に形成された挿通切欠６１ｃの幅よりやや小さく形成されている。
【００７３】
そこで、テープカセット１０をカセットホルダに前面側、すなわち、フロントリッド６０の側から図１４の矢印Ａの方向に挿入していくと、テープカセット１０の前端部が支持部材１８０ｌと１８０ｒとの間に入っていく。また、ロック解除カム２２０はフロントリッド６０の前面部６１に形成された挿通切欠６１ｃからフロントリッド６０の内側に相対的に挿入されていく。この時、上記したように、カセットシェル２０の後端部に形成される前向きの段差１７０、１７０は極小さなものであるので、この段差１７０、１７０がカセットホルダの入口等に引っかかってしまうようなことがない。
【００７４】
そして、リッドオープナー１９０、１９０の係合突起１９１、１９１がフロントリッド６０の係合凹部６１ｂ、６１ｂに係合し、また、ロック解除カム２２０の傾斜部２２１をリッドロック部材１３０の下端円弧面１３４が滑り上がり、これによって、リッドロック部材１３０が図１６で見て反時計回り方向に回動して、係止爪１３２のスライダー８０の摺動突起８３ｂへの係合が外れる。従って、フロントリッド６０の閉塞位置へのロックが解除される。
【００７５】
そこからさらに、テープカセット１０がカセットホルダ内に挿入されると、すなわち、図中矢印Ａ方向に移動されると、リッドオープナー１９０、１９０は回動端に設けた係合突起１９１、１９１が矢印Ａ方向に押されるので、図１７で見て反時計回り方向、すなわち、図中矢印Ｂ方向に回動され、従って、上記係合突起１９１、１９１が上方へと移動し、該係合突起１９１、１９１と係合凹部６１ｂ、６１ｂが係合しているフロントリッド６０が反時計回り方向、すなわち、図中矢印Ｂ方向へと回動していく。
【００７６】
なお、スライダー８０は、フロントリッド６０を介してリッドオープナー１９０、１９０の係合突起１９１、１９１によってカセットシェル２０に対して相対的に後方へ移動する力を受けるが、フロントリッド６０の規制面６４、６４がカセットシェル２０のカム部２６、２６と当接していることによって、カセットシェル２０に対して後方へ移動することができず、フロントリッド６０のみが上方へ回動していく（図１７参照）。
【００７７】
また、この図１７に示す状態においては、リッドロック部材１３０のロックピン１３５はフロントリッド６０の左側の側面部６２に形成された凹部６２ｄの後側の内側面に当接しており、この状態からフロントリッド６０がさらに矢印Ｂ方向に回動するのに伴って、ロックピン１３５が凹部６２ｄの後側内側面によって矢印Ｂ方向に引っ張られ、これによって、リッドロック部材１３０も矢印Ｂ方向に回動していくことになる。
【００７８】
そして、フロントリッド６０が最初の状態（図１４に示す閉塞状態）から矢印Ｂ方向へ９０度回動すると、フロントリッド６０の規制面６４、６４とカセットシェル２０のカム部２６、２６との係合が外れ（図１８参照）、スライダー８０がカセットシェル２０に対して後方へ移動できる状態となる。また、この図１８に示した状態で、支持部材１８０ｌ、１８０ｒに形成したリッド押圧突起２００、２００はフロントリッド６０の前面部６１の上端に後方から近接した状態となる。なお、フロントリッド６０の側面部６２、６２のオーバーラップ部６２ｃ、６２ｃの外側にスライダー８０のオーバーラップ部８２ｂ、８２ｂが位置しているので、フロントリッド６０の回動中、側面部６２、６２の後縁部であるオーバーラップ部６２ｃ、６２ｃの外側がスライダー８０のオーバーラップ部８２ｂ、８２ｂによって支えられ、これによってフロントリッド６０の回動が安定してスムーズに為される。
【００７９】
図１８の状態からさらにテープカセット１０をカセットホルダの奥へ、すなわち、矢印Ａ方向へ移動させると、フロントリッド６０は係合凹部６１ｂ、６１ｂにリッドオープナー１９０、１９０の係合突起１９１、１９１が係合していることにより、フロントリッド６０及び該フロントリッド６０が支持されているスライダー８０は矢印Ａ方向には移動することができず、その場所に置いて行かれる形になるので、スライダー８０がフロントリッド６０と共にカセットシェル２０に対して相対的に後方へ移動することになる。もちろん、バックリッド７０もカセットシェル２０に対して相対的に後方へ移動する。バックリッド７０は真っ直ぐ後方へ移動して磁気テープ３０から離間するので、従来のバックリッドをカムを利用して斜め上後方へ移動させて磁気テープから離間させるものに比較して、磁気テープ３０を巻き込みにくく、バックリッド７０による巻き込みによって磁気テープ３０に損傷を与える惧がない。また、バックリッド７０を導電性を有する金属板によってスライダー８０と一体に形成したあるので、バックリッド７０が帯電し難く、静電気によって磁気テープ３０を巻き込んでしまう惧がない。そのため、所定の装着位置への装着時に、磁気テープ３０がガイド等に乗り上げてしまう等の事故を防止することができる。
【００８０】
そして、前進ストッパーであるテープ引出部２２、２２の各前端面２２ｂ、２２ｂ、２２ｃ、２２ｃ、２２ｄ、２２ｄがカセットホルダーに設けられた図示しないストッパーに当接したところが、テープカセット１０のカセットホルダへの挿入完了位置である（図１９参照）。
【００８１】
該挿入完了位置にある状態では、バックリッド７０はマウス部２１の一番奥まで後退しており、また、フロントリッド６０の側面部６２、６２に形成した透光切欠６８、６８がカセットシェル２０の側面に形成された透光孔２５ｃ、２５ｃと一致する。なお、不使用時にあっては、カセットシェル２０の透光孔２５ｃ、２５ｃはスライダー８０の主面部８２、８２によって閉塞されていて、該透光孔２５ｃ、２５ｃから塵埃等の異物がカセットシェル内に侵入しないようになっている。
【００８２】
テープカセット１０はカセットホルダから浮き上がらないように、下方へ押さえ付けておくことが必要であるが、この場合、金属製であるスライダー８０を介してテープカセット１０を下方へと押さえ付けておくようにすると良い。この場合、スライダー８０を押圧する部材を導電性を有する材料で形成し、該部材をカセットホルダのグランド部材と接触させておくことによってバックリッド７０の帯電を防止することができる。
【００８３】
なお、フロントリッド６０はカセットシェル２０の上面に弾接するため、捩じりコイルバネ１４０の弾発力がカセットシェル２０をカセットホルダから浮き上がらせるように作用することはない。すなわち、従来、フロントリッドの開蓋状態は記録再生装置側に設けられた開蓋部材によって保持されていたため、フロントリッドを閉蓋方向へ付勢しているバネの弾発力が上記開蓋部材に作用し、その反力がカセットシェルをカセットホルダから浮き上がらせるように作用していたが、上記テープカセット１０にあっては、捩じりコイルバネ１４０の弾発力はフロントリッド６０をカセットシェル２０の上面に弾接させるように作用するだけであるからである。
【００８４】
上記したように、リッド６０、７０を開蓋位置へ移動させるために、回動するアームであるリッドオープナー１９０、１９０という簡単な構造を用いながら、カセットシェル２０にカム部２６、２６を形成し、該カム部２６、２６をフロントリッド６０の規制面６４、６４と係合させる構造を採ることによって、先ず、フロントリッド６０が開蓋位置まで回動し、次いで、スライダー８０が後退してバックリッド７０が開蓋位置まで移動するという、順次動作を行わせることができる。
【００８５】
テープカセット１０が図示しないカセットホルダに上記した挿入完了位置まで挿入されると、カセットホルダが所定の位置まで移動（通常は下降）して、テープカセット１０を所定の装着位置に装着する。
【００８６】
テープカセット１０が所定の装着位置に装着されると、図示しないリール台がリール台挿入口２３、２３からカセットシェル２０内に侵入してテープリール４０、５０がリール台に載置されると共にリール台に設けたリール係合軸がテープリール４０、５０の係合穴に係合し、マウス部２１に回転ヘッドドラム２３０、図示しない引出ガイド、ピンチローラ等が挿入される。また、遮光筒２５内には磁気テープ３０の始端及び終端を検出するためのセンサの発光部が挿入され、該センサの受光部がフロントリッド６０の上記透光切欠６８、６８（カセットシェル２０の透光孔２５ｃ、２５ｃと重なっている。）に近接して配置される。これによって、上記センサの発光部と受光部とが磁気テープ３０を挟んで対向される。
【００８７】
それから、引出ガイドやピンチローラ等が移動して磁気テープ３０をカセットシェル２０から引き出して、磁気テープ３０を回転ヘッドドラム２３０に所定の巻き付け角で巻き付けると共に所定のテープパスを形成する。
【００８８】
このテープカセット１０にあっては、フロントリッドを単に上方へ回動させて開蓋するもの及び開蓋時にバックリッドをマウス部の上側に収納するタイプのものと違ってマウス部２１の上方が開放される。従って、回転ヘッドドラム２３０をマウス部２１の上面から突出するように位置させる（図２１参照）ことができるので、例えば、回転ヘッドドラム２３０の傾斜角を大きくして記録トラックのアジマス角を大きくすることができ、これによって記録トラック間のクロストークを少なくして記録密度を上げることができる。
【００８９】
磁気テープ３０に対する記録又は再生が終了すると、引出ガイドやピンチローラ等の部材がマウス部内に移動し、一方のテープリール４０に余分な磁気テープ３０が巻き取られる。
【００９０】
それから、カセットホルダが上記挿入完了位置まで戻され、次いで、テープカセット１０が取り出し方向、すなわち、図中矢印Ｃ方向に移動される（図２４参照）。
【００９１】
テープカセット１０が矢印Ｃ方向に移動されると、支持部材１８０ｌ、１８０ｒに設けたリッド押圧突起２００、２００がフロントリッド６０の前面部６１の上端部の両側を相対的に矢印Ｃ方向と反対の方向に押圧し、これによって、フロントリッド６０及びスライダー８０（バックリッド７０も一緒）はカセットシェル２０の前端方向に向かって移動せしめられる。
【００９２】
スライダー８０が移動範囲の前端に達すると（図２５参照）、フロントリッド６０の厚肉部６３、６３の下端部６３ａ、６３ａがカセットシェル２０の上面から外れるので、フロントリッド６０は下方へ回動し得る状態となり、リッドロック部材１３０介して加えられる捩じりコイルバネ１４０の付勢力によって、フロントリッド６０は下方へ回動し、閉蓋位置に達し、前進してきているバックリッド７０と協同して磁気テープ３０を覆う。そして、リッドロック部材１３０の係止爪１３２がスライダー８０の摺動突起８３ｂの上面に係合する。そして、テープカセット１０は図示しないカセットホルダから取り出される。
【００９３】
なお、カセットシェル２０の後端部に形成された突部２９は、側方へはスライダー８０の側面より外側に位置するように突出しており、テープカセットのオートチェンジャーを使用する場合に、チェンジャーによる掴み部となる。
【００９４】
上記テープカセット１０にあっては、スライダー８０のリッド支持部８３、８３は主面部８２、８２より内側に引っ込んで位置しているので、該リッド支持部８３、８３に支持されたフロントリッド６０の側面部６２、６２の外面とスライダー８０の主面部８２、８２の外面とがほぼ同一の平面内に位置し、そのため、スライダー８０の主面部８２、８２が接するカセットシェル２０の側面のほぼ後半部、すなわち、上シェル１００の側面後部１０３、１０３のうち後端部を除く面と突部２９との間の段差１７０、１７０が極僅かなもの、すなわち、スライダー８０の主面部８２、８２の板厚に相当するだけのものとなる。このように、段差１７０、１７０が極小さなものとなるので、ホルダの入口等に引っかかってしまうようなことがない。
【００９５】
また、フロントリッド６０の側面部６２、６２のオーバーラップ部６２ｃ、６２ｃの外側にスライダー８０のオーバーラップ部８２ｂ、８２ｂが位置しているので、フロントリッド６０の回動中、側面部６２、６２の後縁部であるオーバーラップ部６２ｃ、６２ｃがスライダー８０のオーバーラップ部８２ｂ、８２ｂによって支えられ、これによってフロントリッド６０の回動が安定してスムーズに為される。
【００９６】
なお、上記した実施の形態において示した各部の形状乃至構造は、何れも本発明を実施するに際して行う具体化のほんの一例を示したものに過ぎず、これらによって本発明の技術的範囲が限定的に解釈されることがあってはならないものである。
【００９７】
【発明の効果】
以上に記載したところから明らかなように、本発明テープカセットは、テープ状記録媒体を巻装したテープリールを内部に収納したカセットシェルの前部に前方及び上下に開放されたマウス部を有し、上記テープ状記録媒体の一部が上記マウス部の前端を横切るように位置されると共に、テープ状記録媒体の前側を覆うフロントリッドを有するテープカセットであって、カセットシェルに前後方向に移動自在なスライダーを設け、スライダーのカセットシェルの側面に沿う側面部が前端部のリッド支持部と該リッド支持部より外側に位置した主面部とを有し、フロントリッドはテープ状記録媒体の前面を覆う前面部と該前面部の両端から後方へ突出した側面部とを有し、上記側面部が上記スライダーのリッド支持部に回動自在に支持され、スライダーの主面部の前端部とフロントリッドの側面部とには左右方向で互いに重なり合うオーバーラップ部を有し、フロントリッドの側面部の後縁部は回動支点軸を中心とした円弧状に形成され、側面部の外面のうち後縁部に対応した部分に円弧状を為す浅い凹部が形成され、該凹部が形成された部分がフロントリッドのオーバーラップ部とされ、スライダーのオーバーラップ部が上記フロントリッドのオーバーラップ部を摺動するように位置することを特徴とする。
【００９８】
従って、本発明テープカセットにあっては、スライダーの主面部はリッド支持部より外側に位置しているので、カセットシェルの側面のうち該主面部がスライドする部分がより外側に位置することになり、その分後端部との間にできる段差が小さくなる。また、スライダーの主面部の前端部とフロントリッドの側面部とに左右で互いに重なり合うオーバーラップ部が設けられるので、フロントリッドの回動中フロントリッドのオーバーラップ部がスライダーのオーバーラップ部に案内されるようになり、フロントリッドの開閉動作が安定してスムーズに行われるようになる。また、フロントリッドの側面部の外面のうち後縁部に対応した部分に円弧状を為す浅い凹部が形成され、該凹部が形成された部分がフロントリッドのオーバーラップ部とされ、スライダーのオーバーラップ部がフロントリッドのオーバーラップ部を摺動するように位置するので、フロントリッドの側面部の外面とスライダーの主面部の外面とを同一の平面内に位置させることができ、カセットテープの側面部に無用な凹凸を無くすと共に見栄えを良好にすることができる。
【図面の簡単な説明】
【図１】図２乃至図２５と共に本発明テープカセットの実施の形態を示すものであり、本図はフロントリッドが閉蓋位置ある状態を示す斜視図である。
【図２】フロントリッド、バックリッド共に開蓋位置にある状態を示す斜視図である。
【図３】下シェルユニットを分解して示す斜視図である。
【図４】上シェルユニットを示す斜視図である。
【図５】スライダーユニットを分解して示す斜視図である。
【図６】上シェルユニットとスライダーユニットとを分離して示す斜視図である。
【図７】スライダーユニットを組み込んだ上シェルユニットと下シェルユニットとを分離して示す斜視図である。
【図８】テープカセットの右側面図である。
【図９】図８のＩＸ−ＩＸ線に沿う拡大断面図であり、（ａ）は左端部を、（ｂ）は右端部をそれぞれ示すものである。
【図１０】図８のＸ−Ｘ線に沿う拡大断面図であり、（ａ）は左端部を、（ｂ）は右端部をそれぞれ示すものである。
【図１１】図８のＸＩ−ＸＩ線に沿う拡大断面図であり、（ａ）は左端部を、（ｂ）は右端部をそれぞれ示すものである。
【図１２】カセットシェルの左側面図である。
【図１３】カセットシェルの右側面図である。
【図１４】カセットホルダにテープカセットが挿入され始めた状態を要部を切り欠いて示す概略側面図である。
【図１５】カセットホルダにテープカセットが挿入され始めた状態を示す概略平面図である。
【図１６】リッドロック部材によるロックが解除された状態を要部を切り欠いて示す概略側面図である。
【図１７】図１６に続く状態を要部を切り欠いて示す概略側面図である。
【図１８】フロントリッドが開放位置に達した状態を要部を切り欠いて示す概略側面図である。
【図１９】スライダーが後退しフロントリッド及びバックリッドが共に開蓋位置に達した状態を要部を切り欠いて示す概略側面図である。
【図２０】図１９のＸＸ−ＸＸ線に沿う拡大断面図であり、（ａ）は左端部を、（ｂ）は右端部を示すものである。
【図２１】テープカセットが記録再生装置の所定の装着位置に装着された状態を示す概略側面図である。
【図２２】テープカセットが記録再生装置の所定の装着位置に装着された状態を示す概略平面図である。
【図２３】テープカセットが記録再生装置の所定の装着位置に装着された状態における概略水平断面図である。
【図２４】スライダーが前端へと移動され始めた状態を要部を切り欠いて示す概略側面図である。
【図２５】スライダーが移動範囲の前端に達した状態を要部を切り欠いて示す概略側面図である。
【図２６】比較例とその問題点を示す概略平面図である。
【符号の説明】
１０…テープカセット、２０…カセットシェル、２１…マウス部、３０…磁気テープ（テープ状記録媒体）、４０…テープリール、５０…テープリール、６０…フロントリッド、６１…前面部、６２…側面部、６２ａ…後縁部、６２ｂ…凹部、６２ｃ…オーバーラップ部、６５…回動支点部、６６…回動支点部、８０…スライダー、８２…主面部、８２ｂ…オーバーラップ部、８３…リッド支持部
【図１】
0004370487.tif 000002
【図２】
0004370487.tif 000003
【図３】
0004370487.tif 000004
【図４】
0004370487.tif 000005
【図５】
0004370487.tif 000006
【図６】
0004370487.tif 000007
【図７】
0004370487.tif 000008
【図８】
0004370487.tif 000009
【図９】
0004370487.tif 000010
【図１０】
0004370487.tif 000011
【図１１】
0004370487.tif 000012
【図１２】
0004370487.tif 000013
【図１３】
0004370487.tif 000014
【図１４】
0004370487.tif 000015
【図１５】
0004370487.tif 000016
【図１６】
0004370487.tif 000017
【図１７】
0004370487.tif 000018
【図１８】
0004370487.tif 000019
【図１９】
0004370487.tif 000020
【図２０】
0004370487.tif 000021
【図２１】
0004370487.tif 000022
【図２２】
0004370487.tif 000023
【図２３】
0004370487.tif 000024
【図２４】
0004370487.tif 000025
【図２５】
0004370487.tif 000026
【図２６】
0004370487.tif 000027